(57)【要約】  駆動力の制御に使用されるアクセル開度要求値を実アクセル開度よりも小さくすることで、アクセルとブレーキの同時操作時にブレーキを優先させるブレーキ・オーバーライド・システム（ＢＯＳ）（１）は、アクセル、ブレーキの同時操作が解消されたときの実アクセル開度へのアクセル開度要求値の復帰の開始に際して、アクセル開度要求値の割増しを行うことで、ＢＯＳ（１）の作動解除後の坂路発進性とＢＯＳ（１）の作動中の停止性能との両立を図っている。
2013005274.tif 000002
【特許請求の範囲】
【請求項１】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰の開始に際して、規定量の前記アクセル開度要求値の割増しを行う
ことを特徴とする車両の制御装置。
【請求項２】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰の開始に際して、当該車両の位置する路面の勾配に応じて前記アクセル開度要求値の割増しを行う
ことを特徴とする車両の制御装置。
【請求項３】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰の開始に際して、当該車両に作用する車両前後方向の加速度に応じて前記アクセル開度要求値の割増しを行う
ことを特徴とする車両の制御装置。
【請求項４】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰度合いを当該車両の位置する路面の勾配に応じて変更する
ことを特徴とする車両の制御装置。
【請求項５】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰度合いを当該車両に作用する車両前後方向の加速度に応じて変更する
ことを特徴とする車両の制御装置。
【請求項６】
アクセルとブレーキの同時操作時に、駆動力の制御に使用されるアクセル開度要求値を実アクセル開度よりも小さくする車両の制御装置において、
前記同時操作時の前記アクセル開度要求値の縮小度合いを当該車両の位置する路面の勾配に応じて変更する
ことを特徴とする車両の制御装置。
【請求項７】
前記路面の勾配に応じた前記アクセル開度要求値の縮小度合いの変更は、車速が既定値以下のときにのみ行われる
請求項６に記載の車両の制御装置。
【請求項８】
アクセルとブレーキの同時操作時に、駆動力の制御に使用されるアクセル開度要求値を実アクセル開度よりも小さくする車両の制御装置において、
前記同時操作時の前記アクセル開度要求値の縮小度合いを当該車両に作用する車両前後方向の加速度に応じて変更する
ことを特徴とする車両の制御装置。
【請求項９】
前記車両前後方向の加速度に応じた前記アクセル開度要求値の縮小度合いの変更は、車速が既定値以下のときにのみ行われる
請求項８に記載の車両の制御装置。
【請求項１０】
アクセルとブレーキの同時操作時に、実アクセル開度に応じた値よりも駆動力を低減する車両の制御装置において、
前記同時操作が解消されたときの前記実アクセル開度に応じた値への前記駆動力の復帰の開始に際して、規定量の前記駆動力の割増しを行う
ことを特徴とする車両の制御装置。
【請求項１１】
アクセルとブレーキの同時操作時に、実アクセル開度に応じた値よりも駆動力を低減する車両の制御装置において、
前記同時操作が解消されたときの前記実アクセル開度に応じた値への前記駆動力の復帰の開始に際して、当該車両の位置する路面の勾配に応じて前記駆動力の割増しを行う
ことを特徴とする車両の制御装置。
【請求項１２】
アクセルとブレーキの同時操作時に、実アクセル開度に応じた値よりも駆動力を低減する車両の制御装置において、
前記同時操作が解消されたときの前記実アクセル開度に応じた前記駆動力の復帰の開始に際して、当該車両に作用する車両前後方向の加速度に応じて前記駆動力の割増しを行う
ことを特徴とする車両の制御装置。
【請求項１３】
アクセルとブレーキの同時操作時に、実アクセル開度に応じた値よりも駆動力を低減する車両の制御装置において、
前記同時操作が解消されたときの前記実アクセル開度に応じた値への前記駆動力の復帰度合いを当該車両の位置する路面の勾配に応じて変更する
ことを特徴とする車両の制御装置。
【請求項１４】
アクセルとブレーキの同時操作時に、実アクセル開度よりも駆動力を低減する車両の制御装置において、
前記同時操作が解消されたときの前記実アクセル開度に応じた値への前記駆動力の復帰度合いを当該車両に作用する車両前後方向の加速度に応じて変更する
ことを特徴とする車両の制御装置。
【請求項１５】
アクセルとブレーキの同時操作時に、実アクセル開度に応じた値よりも駆動力を低減する車両の制御装置において、
前記同時操作時の前記駆動力の低減度合いを当該車両の位置する路面の勾配に応じて変更する
ことを特徴とする車両の制御装置。
【請求項１６】
前記路面の勾配に応じた前記駆動力の低減度合いの変更は、車速が既定値以下のときにのみ行われる
請求項１５に記載の車両の制御装置。
【請求項１７】
アクセルとブレーキの同時操作時に、実アクセル開度に応じた値よりも駆動力を低減する車両の制御装置において、
前記同時操作時の前記駆動力の低減度合いを当該車両に作用する車両前後方向の加速度に応じて変更する
ことを特徴とする車両の制御装置。
【請求項１８】
前記車両前後方向の加速度に応じた前記駆動力の低減度合いの変更は、車速が既定値以下のときにのみ行われる
請求項１７に記載の車両の制御装置。
【発明の詳細な説明】
【技術分野】
【０００１】
本発明は、アクセルとブレーキの同時操作時にブレーキを優先するブレーキ・オーバーライド・システムを採用する車両の制御装置に関するものである。
【背景技術】
【０００２】
近年、アクセルペダルとブレーキペダルの同時操作時にブレーキを優先する、例えば特許文献１に見られるようなブレーキ・オーバーライド・システム（ＢＯＳ）の車両への採用が進められている。ＢＯＳは、車両の駆動力の制御（例えばエンジンのスロットル開度の制御）に使用されるアクセル開度要求値を実アクセル開度、すなわち実際のアクセルペダルの踏み込み量よりも小さくして、実アクセル開度に応じた値よりも車両の駆動力を小さくすることで、アクセル、ブレーキの同時操作時にブレーキを優先させている。
【先行技術文献】
【特許文献】
【０００３】
【特許文献１】特開２００８−０６３９５３号公報
【発明の概要】
【発明が解決しようとする課題】
【０００４】
ところで、ＢＯＳが作動する状況としては、坂路においてアクセル及びブレーキを同時操作した状態で車両が停止されるような状況も考えられる。この場合において、ＢＯＳの作動中に駆動力を低減し過ぎると、発進の際に所定の加速度が得られなくなる。【０００５】
本発明は、こうした実情に鑑みてなされたものであり、その解決しようとする課題は、坂路発進性能と停止性能との両立を図ることのできる車両の制御装置を提供することにある。
【課題を解決するための手段】
【０００６】
上記課題を解決するため、本発明に従う第１の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰の開始に際して、規定量の前記アクセル開度要求値の割増しを行うようにしている。【０００７】
上記構成では、アクセル、ブレーキの同時操作が解消されたときの実アクセル開度へのアクセル開度要求値の復帰の開始に際して、アクセル開度要求値が規定量だけ割増される。そのため、ＢＯＳの作動解除とともに、駆動力が増大されるようになる。したがって、上記構成によれば、坂路発進性能と停止性能との両立を図ることができる。【０００８】
上記課題を解決するため、本発明に従う第２の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰の開始に際して、当該車両の位置する路面の勾配に応じて前記アクセル開度要求値の割増しを行うようにしている。【０００９】
上記課題を解決するため、本発明に従う第３の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰の開始に際して、当該車両に作用する車両前後方向の加速度に応じて前記アクセル開度要求値の割増しを行うようにしている。【００１０】
上記課題を解決するため、本発明に従う第４の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰度合いを当該車両の位置する路面の勾配に応じて変更するようにしている。【００１１】
上記課題を解決するため、本発明に従う第５の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰度合いを当該車両に作用する車両前後方向の加速度に応じて変更するようにしている。【００１２】
上記課題を解決するため、本発明に従う第６の車両の制御装置は、アクセルとブレーキの同時操作時に、駆動力の制御に使用されるアクセル開度要求値を実アクセル開度よりも小さくする車両の制御装置において、前記同時操作時の前記アクセル開度要求値の縮小度合いを当該車両の位置する路面の勾配に応じて変更するようにしている。【００１３】
なお、路面の勾配に応じたアクセル開度要求値の縮小度合いの変更は、車速が既定値以下のときにのみ行うようにすれば良い。【００１４】
上記課題を解決するため、本発明に従う第７の車両の制御装置は、アクセルとブレーキの同時操作時に、駆動力の制御に使用されるアクセル開度要求値を実アクセル開度よりも小さくする車両の制御装置において、前記同時操作時の前記アクセル開度要求値の縮小度合いを当該車両に作用する車両前後方向の加速度に応じて変更するようにしている。【００１５】
なお、車両前後方向の加速度に応じたアクセル開度要求値の縮小度合いの変更は、車速が既定値以下のときにのみ行うようにすれば良い。【００１６】
上記課題を解決するため、本発明に従う第８の車両の制御装置は、アクセルとブレーキの同時操作時に、実アクセル開度に応じた値よりも駆動力を低減する車両の制御装置において、前記同時操作が解消されたときの前記実アクセル開度に応じた値への前記駆動力の復帰の開始に際して、規定量の前記駆動力の割増しを行うようにしている。【００１７】
上記課題を解決するため、本発明に従う第９の車両の制御装置は、アクセルとブレーキの同時操作時に、実アクセル開度に応じた値よりも駆動力を低減する車両の制御装置において、前記同時操作が解消されたときの前記実アクセル開度に応じた値への前記駆動力の復帰の開始に際して、当該車両の位置する路面の勾配に応じて前記駆動力の割増しを行うようにしている。【００１８】
上記課題を解決するため、本発明に従う第１０の車両の制御装置は、アクセルとブレーキの同時操作時に、実アクセル開度に応じた値よりも駆動力を低減する車両の制御装置において、前記同時操作が解消されたときの前記実アクセル開度に応じた前記駆動力の復帰の開始に際して、当該車両に作用する車両前後方向の加速度に応じて前記駆動力の割増しを行うようにしている。【００１９】
上記課題を解決するため、本発明に従う第１１の車両の制御装置は、アクセルとブレーキの同時操作時に、実アクセル開度に応じた値よりも駆動力を低減する車両の制御装置において、前記同時操作が解消されたときの前記実アクセル開度に応じた値への前記駆動力の復帰度合いを当該車両の位置する路面の勾配に応じて変更するようにしている。【００２０】
上記課題を解決するため、本発明に従う第１２の車両の制御装置は、アクセルとブレーキの同時操作時に、実アクセル開度よりも駆動力を低減する車両の制御装置において、前記同時操作が解消されたときの前記実アクセル開度に応じた値への前記駆動力の復帰度合いを当該車両に作用する車両前後方向の加速度に応じて変更するようにしている。【００２１】
上記課題を解決するため、本発明に従う第１３の車両の制御装置は、アクセルとブレーキの同時操作時に、実アクセル開度に応じた値よりも駆動力を低減する車両の制御装置において、前記同時操作時の前記駆動力の低減度合いを当該車両の位置する路面の勾配に応じて変更するようにしている。【００２２】
なお、路面の勾配に応じた駆動力の低減度合いの変更は、車速が既定値以下のときにのみ行うようにすれば良い。【００２３】
上記課題を解決するため、本発明に従う第１４の車両の制御装置は、アクセルとブレーキの同時操作時に、実アクセル開度に応じた値よりも駆動力を低減する車両の制御装置において、前記同時操作時の前記駆動力の低減度合いを当該車両に作用する車両前後方向の加速度に応じて変更するようにしている。【００２４】
なお、車両前後方向の加速度に応じた駆動力の低減合いの変更は、車速が既定値以下のときにのみ行うようにすれば良い。
【図面の簡単な説明】
【００２５】
【図１】本発明の第１実施形態に係る車両の制御装置の構成を模式的に示す略図。
【図２】同実施形態に採用されるアクセル開度要求値演算ルーチンの処理手順を示すフローチャート。
【図３】同実施形態の制御態様の一例を示すタイムチャート。
【図４】本発明の第２実施形態に係る車両の制御装置に採用される坂路補正量演算マップにおける車速、車両前後方向の加速度と坂路補正量との対応関係を示すグラフ。
【図５】本発明の第３実施形態に係る車両の制御装置に採用されるアクセル開度要求値演算ルーチンの処理手順を示すフローチャート。
【図６】同実施形態の制御態様の一例を示すタイムチャート。
【図７】本発明の第４実施形態に係る車両の制御装置に採用されるアクセル開度要求値演算ルーチンの処理手順を示すフローチャート。
【図８】同実施形態の制御態様の一例を示すタイムチャート。
【発明を実施するための形態】
【００２６】
（第１実施形態）
以下、本発明の車両の制御装置を具体化した第１実施形態を、図１〜図３を参照して詳細に説明する。
【００２７】
図１に示すように、本実施形態の制御装置を採用する車両には、ブレーキ・オーバーライド・システム（ＢＯＳ）１が制御機構として搭載されている。ＢＯＳ１には、アクセルポジションセンサーにより検出される実アクセル開度、ブレーキ踏力センサーにより検出されるブレーキ踏力、車速センサーにより検出される車速、及び加速度センサーにより検出される車両前後方向の加速度の検出信号が入力されている。ＢＯＳ１は、アクセル要求開度を演算するとともに、その演算したアクセル要求開度を出力する。なお、ＢＯＳ１は、通常は、実アクセル開度と同じ値となるようにアクセル要求開度を演算する一方で、アクセル、ブレーキの同時操作時には、実アクセル開度よりも小さい値となるようにアクセル要求開度を演算することで、アクセル、ブレーキの同時操作時にブレーキを優先させるＢＯＳ制御を実施する。
【００２８】
スロットル開度を制御するスロットルコントローラー２には、ＢＯＳ１の演算したアクセル要求開度と実アクセル開度のうち、より小さい方の値が制御アクセル開度として入力される。そしてスロットルコントローラー２は、入力された制御アクセル開度とスロットルポジションセンサーにより検出された実スロットル開度とに応じてスロットル開度要求値を演算し、その値に基づいてスロットルバルブ３の開度を制御する。そしてスロットルバルブ３の開度の制御によっては、エンジンの出力が、ひいては車両の駆動力が制御される。
【００２９】
次に、ＢＯＳ１によるアクセル開度要求値の演算の詳細を説明する。アクセル開度要求値の演算は、図２に示すアクセル開度要求値演算ルーチンの処理を通じて行われる。なお、アクセル開度要求値演算ルーチンの処理は、ＢＯＳ１によって、規定の制御周期毎に繰り返し実施されるようになっている。
【００３０】
さて、本ルーチンの処理が開始されると、まずステップＳ１００において、アクセル、ブレーキの同時操作に応じたＢＯＳ１の作動中であるか否かが、すなわちＢＯＳ制御中であるか否かが判定される。ここでＢＯＳ１の作動中であれば（Ｓ１００：ＹＥＳ）、ステップＳ１０１において、車速に応じたアクセル開度要求値の演算が行われる。ここでの車速に応じたアクセル開度要求値の演算は、車速とアクセル開度要求値との対応関係を示す演算マップＭ１を参照して行われる。そしてアクセル開度要求値の演算後、今回の本ルーチンの処理が終了される。
【００３１】
一方、ＢＯＳ１の作動中でなければ（Ｓ１００：ＮＯ）、ステップＳ１０２において、ＢＯＳ制御からの復帰中であるか否かが、すなわちアクセル、ブレーキの同時操作の解消に応じたアクセル開度要求値の復帰中であるか否かが判定される。ここでＢＯＳ制御からの復帰中であれば（Ｓ１０２：ＹＥＳ）、ステップＳ１０３の処理に移行され、復帰中でなければ（Ｓ１０２：ＮＯ）、そのまま今回の本ルーチンの処理が終了される。なお、復帰中でない場合には、実アクセル開度の値がそのままアクセル開度要求値の値に設定される。
【００３２】
ステップＳ１０３に処理が移ると、そのステップＳ１０３において、基本要求開度の演算が行われる。ここで演算される基本要求開度の値には、前回の制御周期において演算されたアクセル開度要求値の値に、定数として設定された復帰勾配角度αを加算した値と、実アクセル開度のうち、いずれか小さい方の値が設定される。
【００３３】
続くステップＳ１０４では、車速に応じて坂路補正量の演算が行われる。この坂路補正量の演算は、車速と坂路補正量との対応関係を示す演算マップＭ２を参照して行われる。坂路補正量は、車速が既定値以上のときには、その値が「０」に設定される。すなわち、坂路補正量は、車両が停止中又は微低速走行中のときに限り、正の値を取るように演算される。
【００３４】
次のステップＳ１０５では、坂路補正量と基本要求開度のうち、大きい方の値がアクセル開度要求値の値として設定される。そしてその後、今回の本ルーチンの処理が終了される。
【００３５】
次に、こうした本実施形態の作用について、図３を参照して説明する。
【００３６】
図３の時刻Ｔ０におけるブレーキ操作の開始により、アクセル、ブレーキの同時操作がなされ、ＢＯＳ制御が開始されると、アクセル開度要求値が実アクセル開度よりも小さい値に低減される。そしてこれにより、スロットル開度が縮小され、エンジン出力が、ひいては車両の駆動力が実アクセル開度に応じた値よりも小さくされて、アクセルよりもブレーキが優先されることから、その後、車速は低下していくようになる。
【００３７】
車両の停止後の時刻Ｔ１に、ブレーキ操作が解除され、ＢＯＳ制御が解除されると、低減したアクセル開度要求値を実アクセル開度へと復帰させるための復帰処理が開始される。このとき、本実施形態では、復帰処理の開始後、直ちに、アクセル開度要求値が坂路補正量の分、割増しされ、これにより駆動力が確保される。
【００３８】
その後、アクセル開度要求値は、徐々に増加される。そしてアクセル開度要求値が実アクセル開度と同値となった時点で（時刻Ｔ２）、アクセル開度要求値の復帰処理が終了される。
【００３９】
以上の本実施形態によれば、次の効果を奏することができる。
【００４０】
（１）本実施形態では、アクセル、ブレーキの同時操作が解消されたときの実アクセル開度へのアクセル開度要求値の復帰の開始に際して、規定量のアクセル開度要求値の割増しを行っている。そしてこれにより、アクセル、ブレーキの同時操作が解消されたときの実アクセル開度に応じた値への駆動力の復帰の開始に際して、規定量の駆動力の割増しを行うようにしている。そのため、ＢＯＳ作動中の駆動力を小さくしながらも、ＢＯＳ制御の解除後、直ちに、駆動力を増大することができる。したがって、本実施形態によれば、坂路発進性能と停止性能との両立を図ることができる。なお、こうした本実施形態は、加速度センサーのような路面の勾配を確認する術を有していない場合にも、その採用が可能である。
【００４１】
（第２実施形態）
続いて、本発明の車両の制御装置を具体化した第２実施形態を、図４を併せ参照して詳細に説明する。第１実施形態では、ＢＯＳ制御の解除後に駆動力を割増しするための坂路補正量を車速のみに応じて演算するようにしていたが、本実施形態では、そうした坂路補正量を、車両の位置する路面の勾配にも応じて可変設定するようにしている。
【００４２】
すなわち、本実施形態では、図２のアクセル開度要求値演算ルーチンのステップＳ１０４において、図４に示す演算マップＭ３を参照して坂路補正量の演算が行われる。同図に示すように、坂路補正量は、車両に作用する車両前後方向の加速度が大きいほど、大きい値に設定される。なお、ここでは、車両に作用する車両前後方向の加速度を、車両が位置する路面の勾配の指標値として使用している。
【００４３】
こうした本実施形態では、車両の位置する路面の勾配が大きいほど、ＢＯＳ制御の解除後におけるアクセル開度要求値の割増し量が、すなわち駆動力の割増し量が増大されるようになる。その際の駆動力は、路面の勾配が大きいほど大きくなる。そのため、本実施形態では、ＢＯＳ制御の解除後の駆動力の割増しを路面の勾配に応じて行うことができ、坂路発進性能をより確実に確保することが可能である。
【００４４】
（第３実施形態）
続いて、本発明の車両の制御装置を具体化した第３実施形態を、図５及び図６を併せ参照して詳細に説明する。上記実施形態では、ＢＯＳ制御の解除時、すなわち実アクセル開度へのアクセル開度要求値の復帰処理の開始時に、アクセル開度要求値の割増しを行うことで、坂路発進性能と停止性能との両立を図っていた。これに対して、本実施形態では、ＢＯＳ制御中のアクセル開度要求値の縮小度合いを路面の勾配に応じて変更することで、坂路発進性能と停止性能との両立を図るようにしている。
【００４５】
こうした本実施形態では、ＢＯＳ１は、図５に示すアクセル開度要求値演算ルーチンの処理により、アクセル開度要求値を演算している。なお、本ルーチンの処理は、ＢＯＳ１によって、規定の制御周期毎に繰り返し実施されるようになっている。
【００４６】
さて、本ルーチンの処理が開始されると、まずステップＳ２００において、ＢＯＳ制御中であるか否かが、すなわちアクセル、ブレーキの同時操作に応じたＢＯＳ１の作動中であるか否かが判定される。ここでＢＯＳ１の作動中であれば（Ｓ２００：ＹＥＳ）、ステップＳ２０１において、車速に応じた基本アクセル開度要求値の演算が行われる。ここでの基本アクセル開度要求値の演算は、車速と基本アクセル開度要求値との対応関係を示す演算マップＭ４を参照して行われる。
【００４７】
続いてステップＳ２０２において、坂路補正量ＦｘＳｌｏｐｅの演算が行われる。ここで坂路補正量ＦｘＳｌｏｐｅは、車速が既定値β以下であり、車両が停止中か微低速走行中であれば、車両重量Ｖｍａｓｓと加速度センサーによる車両前後方向の加速度の検出値Ｇｘとの乗算値として演算される。一方、車速が既定値βを超えるときには、坂路補正量ＦｘＳｌｏｐｅの値は、０とされる。
【００４８】
続くステップＳ２０３では、基本アクセル開度要求値と坂路補正量ＦｘＳｌｏｐｅのうち、より大きい方の値がアクセル開度要求値の値として演算される。そしてその後、今回の本ルーチンの処理が終了される。
【００４９】
これに対して、ＢＯＳ１の作動中でなければ（Ｓ２００：ＮＯ）、ステップＳ２０４において、ＢＯＳ制御からの復帰中であるか否かが、すなわちアクセル、ブレーキの同時操作の解消に応じたアクセル開度要求値の復帰中であるか否かが判定される。ここでＢＯＳ制御からの復帰中であれば（Ｓ２０４：ＹＥＳ）、ステップＳ２０５の処理に移行され、復帰中でなければ（Ｓ２０４：ＮＯ）、そのまま今回の本ルーチンの処理が終了される。なお、復帰中でない場合には、実アクセル開度の値がそのままアクセル開度要求値の値に設定される。
【００５０】
ステップＳ２０５に処理が移ると、そのステップＳ２０５において、アクセル開度要求値の演算が行われる。ここで演算されるアクセル開度要求値の値には、前回の制御周期において演算されたアクセル開度要求値の値に、定数として設定された復帰勾配角度αを加算した値と、実アクセル開度のうち、いずれか小さい方の値が設定される。そしてその後、今回の本ルーチンの処理が終了される。
【００５１】
次に、こうした本実施形態の作用について、図６を参照して説明する。
【００５２】
図６の時刻Ｔ１０におけるブレーキ操作の開始により、アクセル、ブレーキの同時操作がなされ、ＢＯＳ制御が開始されると、アクセル開度要求値が実アクセル開度よりも小さい値に低減される。そしてこれにより、スロットル開度が縮小され、エンジン出力が、ひいては車両の駆動力が実アクセル開度に応じた値よりも小さくされて、アクセルよりもブレーキが優先されることから、その後、車速は低下していくようになる。
【００５３】
車速が既定値β以下まで低下した時刻Ｔ１１になると、車両前後方向の加速度、すなわち路面勾配に応じた坂路補正量ＦｘＳｌｏｐｅがアクセル開度要求値に加算される。そしてこれにより、ＢＯＳ制御中のアクセル開度要求値の縮小度合いが、そしてひいてはＢＯＳ制御中の駆動力の低減度合いが、路面の勾配に応じて抑えられる。
【００５４】
その後の時刻Ｔ１２にブレーキ操作が解除されてＢＯＳ制御が解除され、実アクセル開度へのアクセル開度要求値の復帰処理が開始される。このとき、本実施形態では、路面勾配に応じてＢＯＳ制御中のアクセル開度要求値の縮小度合いが抑えられた状態から復帰処理が開始されるため、復帰処理の開始直後にも、駆動力が確保される。
【００５５】
その後、アクセル開度要求値は、徐々に増加される。そしてアクセル開度要求値が実アクセル開度と同値となった時点で（時刻Ｔ１３）、アクセル開度要求値の復帰処理が終了される。
【００５６】
以上の本実施の形態によれば、次の効果を奏することができる。
【００５７】
（２）本実施の形態では、アクセル、ブレーキの同時操作時のアクセル開度要求値の縮小度合いを、すなわちＢＯＳ制御中の駆動力の低減度合いを、車両前後方向の加速度から把握される路面勾配に応じて変更するようにしている。ＢＯＳ制御からの坂路発進に際して必要な駆動力は、路面の勾配に応じて変化する。そのため、ＢＯＳ制御中の駆動力の低減度合いを路面勾配に応じて変更すれば、ＢＯＳ制御中の駆動力を、ひいてはＢＯＳ制御が解除されるときの駆動力を確保することができる。その一方で、平坦路や勾配の小さい坂路では、ＢＯＳ制御中のアクセル開度要求値の縮小度合いを大きくすることができ、ＢＯＳ制御中の停止性能を満すことも可能である。したがって、本実施形態によれば、坂路発進性能と停止性能との両立を図ることができる。
【００５８】
（３）本実施形態では、ＢＯＳ制御中における路面勾配に応じたアクセル開度要求値の縮小度合いの変更は、すなわちＢＯＳ制御中における路面勾配に応じた駆動力の低減度合いの変更は、車速が既定値β以下のときにのみ行うようにしている。こうした場合には、ＢＯＳ制御中のアクセル開度要求値の縮小度合いを、すなわちＢＯＳ制御中の駆動力の低減度合いを大きくすることができ、ＢＯＳ制御中の停止性能をより確実に確保することができるようになる。
【００５９】
（第４実施形態）
続いて、本発明の車両の制御装置を具体化した第４実施形態を、図７及び図８を併せ参照して詳細に説明する。本実施形態では、アクセル、ブレーキの同時操作が解消されてＢＯＳ制御が解除されるときの実アクセル開度へのアクセル開度要求値の復帰度合いを、車両前後方向の加速度から把握される路面勾配に応じて変更することで、坂路発進性能と停止性能との両立を図っている。
【００６０】
こうした本実施形態では、ＢＯＳ１は、図７に示すアクセル開度要求値演算ルーチンの処理により、アクセル開度要求値を演算している。なお、本ルーチンの処理は、ＢＯＳ１によって、規定の制御周期毎に繰り返し実施されるようになっている。
【００６１】
さて、本ルーチンの処理が開始されると、まずステップＳ３００において、ＢＯＳ制御中であるか否かが、すなわちアクセル、ブレーキの同時操作に応じたＢＯＳ１の作動中であるか否かが判定される。ここでＢＯＳ１の作動中であれば（Ｓ３００：ＹＥＳ）、ステップＳ３０１において、車速に応じたアクセル開度要求値の演算が行われる。ここでの車速に応じたアクセル開度要求値の演算は、車速とアクセル開度要求値との対応関係を示す演算マップＭ５を参照して行われる。そしてアクセル開度要求値の演算後、今回の本ルーチンの処理が終了される。
【００６２】
一方、ＢＯＳ１の作動中でなければ（Ｓ３００：ＮＯ）、ステップＳ３０２において、ＢＯＳ制御からの復帰中であるか否かが、すなわちアクセル、ブレーキの同時操作の解消に応じたアクセル開度要求値の復帰中であるか否かが判定される。ここでＢＯＳ制御からの復帰中であれば（Ｓ３０２：ＹＥＳ）、ステップＳ３０３の処理に移行され、復帰中でなければ（Ｓ３０２：ＮＯ）、そのまま今回の本ルーチンの処理が終了される。なお、復帰中でない場合には、実アクセル開度の値がそのままアクセル開度要求値の値に設定される。
【００６３】
ステップＳ３０３に処理が移ると、そのステップＳ３０３において、車両前後方向の加速度に応じた復帰勾配角度γの演算が行われる。ここでの復帰勾配角度γの演算は、車両前後方向の加速度と復帰勾配角度γとの対応関係を示す演算マップＭ６を参照して行われる。そして復帰勾配角度γは、車両前後方向の加速度が大きいほど、すなわち車両が位置する路面の勾配が大きいほど大きい値がその値に設定される。
【００６４】
次に、ステップＳ３０４において、アクセル開度要求値の演算が行われる。ここで演算されるアクセル開度要求値の値には、前回の制御周期において演算されたアクセル開度要求値の値に、ステップＳ３０３で演算された復帰勾配角度γを加算した値と、実アクセル開度のうち、いずれか小さい方の値が設定される。そしてその後、今回の本ルーチンの処理が終了される。
【００６５】
次に、こうした本実施形態の作用について、図８を参照して説明する。
【００６６】
図８の時刻Ｔ２０におけるブレーキ操作の開始により、アクセル、ブレーキの同時操作がなされ、ＢＯＳ制御が開始されると、アクセル開度要求値が実アクセル開度よりも小さい値に低減される。そしてこれにより、スロットル開度が縮小され、エンジン出力が、ひいては車両の駆動力が実アクセル開度に応じた値よりも小さくされて、アクセルよりもブレーキが優先されることから、その後、車速は低下していくようになる。
【００６７】
車両の停止後の時刻Ｔ２１に、ブレーキ操作が解除され、ＢＯＳ制御が解除されると、低減したアクセル開度要求値を実アクセル開度へと復帰させるための復帰処理が開始される。本実施の形態では、車両前後方向の加速度から把握される路面勾配に応じて復帰勾配角度γを設定することで、この復帰処理でのアクセル開度要求値の増加勾配が路面勾配に応じて変化される。具体的には、路面勾配が大きいほど復帰処理でのアクセル開度要求値の増加勾配が大きくされる。そのため、本実施の形態では、坂路では、アクセル開度要求値が、ひいては駆動力が速やかに増加されるようになり、発進性能が向上する。
【００６８】
その後、実アクセル開度と同値となるまでアクセル開度要求値が増加した時刻Ｔ２２に、アクセル開度要求値の復帰処理が終了され、通常の制御に復帰する。
【００６９】
以上の本実施形態によれば、次の効果を奏することができる。
【００７０】
（４）本実施形態では、アクセル、ブレーキの同時操作が解消されたときの実アクセル開度へのアクセル開度要求値の復帰度合いを、すなわち実アクセル開度に応じた値への駆動力の復帰度合いを、車両前後方向の加速度から把握される路面勾配に応じて変更するようにしている。その点、本実施形態では、アクセル開度要求値の復帰度合いが路面勾配に応じて変更されるため、路面の勾配に応じてＢＯＳ制御解除後の駆動力の応答速度を変更することができる。その一方で、ＢＯＳ制御中のアクセル開度要求値の低減幅は、すなわちＢＯＳ制御中の駆動力の低減幅は大きくしておくことができるため、ＢＯＳ制御中の停止性能を満すことも可能である。したがって、本実施形態によれば、坂路発進性能と停止性能との両立を図ることができる。
【００７１】
以上説明した各実施形態は、次のように変更して実施することもできる。
【００７２】
・第３実施形態では、車速が既定値β以下のときに限り、ＢＯＳ制御中における路面勾配に応じたアクセル開度要求値の縮小度合いの変更、すなわちＢＯＳ制御中における路面の勾配に応じた駆動力の低減度合いの変更を行うようにしていた。もっとも、ＢＯＳ制御中の停止性能を十分確保できるのであれば、ＢＯＳ制御中における路面勾配に応じたアクセル開度要求値の縮小度合いやＢＯＳ制御中における路面の勾配に応じた駆動力の低減度合いの変更を車速に拘らずに行うようにしても良い。
【００７３】
・上記実施形態では、加速度センサーにより検出される車両前後方向の加速度から路面勾配を把握するようにしていたが、カーナビゲーションシステムから取得した路面情報などの他の情報に基づいて路面勾配を把握するようにしても良い。
【００７４】
・上記実施形態では、アクセル開度要求値に応じてスロットルバルブ３の開度を制御することで、エンジン出力を、ひいては車両の駆動力を制御するようにしていたが、燃料噴射量などの他のエンジン制御パラメーターをアクセル開度要求値に応じて制御することで、車両の駆動力を制御するようにしても良い。また、モーターにより走行する電気車両では、アクセル開度要求値に応じてモーター出力を制御することで、同様の駆動力の制御を行うことができる。更にエンジン及びモーターを駆動源として備えるハイブリッド車両では、エンジン及びモーターの総出力をアクセル開度要求値に応じて制御することで、同様の駆動力の制御を行うことが可能である。
【符号の説明】
【００７５】
１…ブレーキ・オーバーライド・システム（ＢＯＳ）、２…スロットルコントローラー、３…スロットルバルブ。
【図１】
2013005274.tif 000003
【図２】
2013005274.tif 000004
【図３】
2013005274.tif 000005
【図４】
2013005274.tif 000006
【図５】
2013005274.tif 000007
【図６】
2013005274.tif 000008
【図７】
2013005274.tif 000009
【図８】
2013005274.tif 000010
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰を、規定量の前記アクセル開度要求値の割増しをその開始時に行った後、同アクセル開度要求値を徐々に増加させることで行う
ことを特徴とする車両の制御装置。
【請求項２】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰を、当該車両の位置する路面の勾配に応じた前記アクセル開度要求値の割増しをその開始時に行った後、同アクセル開度要求値を徐々に増加させることで行う
ことを特徴とする車両の制御装置。
【請求項３】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰を、当該車両に作用する車両前後方向の加速度に応じた前記アクセル開度要求値の割増しをその開始時に行った後、同アクセル開度要求値を徐々に増加させることで行う
ことを特徴とする車両の制御装置。
【請求項４】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰速度を当該車両に作用する車両前後方向の加速度に応じて変更する
ことを特徴とする車両の制御装置。
【請求項５】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰速度を当該車両に作用する車両前後方向の加速度に応じて変更する
ことを特徴とする車両の制御装置。
【請求項６】
アクセルとブレーキの同時操作時に、駆動力の制御に使用されるアクセル開度要求値を実アクセル開度よりも小さくする車両の制御装置において、
車速が既定値以下のときにのみ、前記同時操作時の前記アクセル開度要求値の縮小度合いを当該車両の位置する路面の勾配に応じて変更する
ことを特徴とする車両の制御装置。
【請求項７】
アクセルとブレーキの同時操作時に、駆動力の制御に使用されるアクセル開度要求値を実アクセル開度よりも小さくする車両の制御装置において、
車速が既定値以下のときにのみ、前記同時操作時の前記アクセル開度要求値の縮小度合いを当該車両に作用する車両前後方向の加速度に応じて変更する
ことを特徴とする車両の制御装置。
【請求項８】
アクセルとブレーキの同時操作時に、実アクセル開度に応じた値よりも駆動力を低減する車両の制御装置において、
前記同時操作が解消されたときの前記実アクセル開度に応じた値への前記駆動力の復帰を、規定量の前記駆動力の割増しをその開始時に行った後、同駆動力を徐々に増加させることで行う
ことを特徴とする車両の制御装置。
【請求項９】
アクセルとブレーキの同時操作時に、実アクセル開度に応じた値よりも駆動力を低減する車両の制御装置において、
前記同時操作が解消されたときの前記実アクセル開度に応じた値への前記駆動力の復帰を、当該車両の位置する路面の勾配に応じた前記駆動力の割増しをその開始時に行った後、同駆動力を徐々に増加させることで行う
ことを特徴とする車両の制御装置。
【請求項１０】
アクセルとブレーキの同時操作時に、実アクセル開度に応じた値よりも駆動力を低減する車両の制御装置において、
前記同時操作が解消されたときの前記実アクセル開度に応じた前記駆動力の復帰を、当該車両に作用する車両前後方向の加速度に応じた前記駆動力の割増しをその開始時に行った後、同駆動力を徐々に増加させることで行う
ことを特徴とする車両の制御装置。
【請求項１１】
アクセルとブレーキの同時操作時に、実アクセル開度に応じた値よりも駆動力を低減する車両の制御装置において、
前記同時操作が解消されたときの前記実アクセル開度に応じた値への前記駆動力の復帰速度を当該車両の位置する路面の勾配に応じて変更する
ことを特徴とする車両の制御装置。
【請求項１２】
アクセルとブレーキの同時操作時に、実アクセル開度よりも駆動力を低減する車両の制御装置において、
前記同時操作が解消されたときの前記実アクセル開度に応じた値への前記駆動力の復帰速度を当該車両に作用する車両前後方向の加速度に応じて変更する
ことを特徴とする車両の制御装置。
【請求項１３】
アクセルとブレーキの同時操作時に、実アクセル開度に応じた値よりも駆動力を低減する車両の制御装置において、
車速が既定値以下のときにのみ、前記同時操作時の前記駆動力の低減度合いを当該車両の位置する路面の勾配に応じて変更する
ことを特徴とする車両の制御装置。
【請求項１４】
アクセルとブレーキの同時操作時に、実アクセル開度に応じた値よりも駆動力を低減する車両の制御装置において、
車速が既定値以下のときにのみ、前記同時操作時の前記駆動力の低減度合いを当該車両に作用する車両前後方向の加速度に応じて変更する
ことを特徴とする車両の制御装置。
【手続補正２】
【補正対象書類名】明細書
【補正対象項目名】０００２
【補正方法】変更
【補正の内容】
【０００２】
［０００６］
上記課題を解決するため、本発明に従う第１の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰を、規定量の前記アクセル開度要求値の割増しをその開始時に行った後、同アクセル開度要求値を徐々に増加させることで行うようにしている。
［０００７］
上記構成では、アクセル、ブレーキの同時操作が解消されたときの実アクセル開度へのアクセル開度要求値の復帰の開始に際して、アクセル開度要求値が規定量だけ割増される。そのため、ＢＯＳの作動解除とともに、駆動力が増大されるようになる。したがって、上記構成によれば、坂路発進性能と停止性能との両立を図ることができる。
［０００８］
上記課題を解決するため、本発明に従う第２の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰を、当該車両の位置する路面の勾配に応じた前記アクセル開度要求値の割増しをその開始時に行った後、同アクセル開度要求値を徐々に増加させることで行うようにしている。
［０００９］
上記課題を解決するため、本発明に従う第３の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰を、当該車両に作用する車両前後方向の加速度に応じた前記アクセル開度要求値の割増しをその開始時に行った後、同アクセル開度要求値を徐々に増加させることで行うようにしている。
［００１０］
上記課題を解決するため、本発明に従う第４の車両の制御装置は、アクセルとブレーキの同時操作時に、駆動力の制御に使用されるアクセル開度要求値を実アクセル開度よりも小さくする車両の制御装置において、前記同時操
【手続補正３】
【補正対象書類名】明細書
【補正対象項目名】０００３
【補正方法】変更
【補正の内容】
【０００３】
作が解消されたときの前記実アクセル開度への前記アクセル開度要求値の復帰速度を当該車両の位置する路面の勾配に応じて変更するようにしている。
［００１１］
上記課題を解決するため、本発明に従う第５の車両の制御装置は、アクセルとブレーキの同時操作時に、駆動力の制御に使用されるアクセル開度要求値を実アクセル開度よりも小さくする車両の制御装置において、前記同時操作が解消されたときの前記実アクセル開度への前記アクセル開度要求値の復帰速度を当該車両に作用する車両前後方向の加速度に応じて変更するようにしている。
［００１２］
上記課題を解決するため、本発明に従う第６の車両の制御装置は、アクセルとブレーキの同時操作時に、駆動力の制御に使用されるアクセル開度要求値を実アクセル開度よりも小さくする車両の制御装置において、車速が既定値以下のときにのみ、前記同時操作時の前記アクセル開度要求値の縮小度合いを当該車両の位置する路面の勾配に応じて変更するようにしている。
［００１３］
［００１４］
上記課題を解決するため、本発明に従う第７の車両の制御装置は、アクセルとブレーキの同時操作時に、駆動力の制御に使用されるアクセル開度要求値を実アクセル開度よりも小さくする車両の制御装置において、車速が既定値以下のときにのみ、前記同時操作時の前記アクセル開度要求値の縮小度合いを当該車両に作用する車両前後方向の加速度に応じて変更するようにしている。
［００１５］
［００１６］
上記課題を解決するため、本発明に従う第８の車両の制御装置は、アクセルとブレーキの同時操作時に、実アクセル開度に応じた値よりも駆動力を低減する車両の制御装置において、前記同時操作が解消されたときの前記実アクセル開度に応じた値への前記駆動力の復帰を、規定量の前記駆動力の割増しをその開始時に行った後、同駆動力を徐々に増加させることで行うようにしている。
［００１７］
上記課題を解決するため、本発明に従う第９の車両の制御装置は、アクセ
【手続補正４】
【補正対象書類名】明細書
【補正対象項目名】０００４
【補正方法】変更
【補正の内容】
【０００４】
ルとブレーキの同時操作時に、実アクセル開度に応じた値よりも駆動力を低減する車両の制御装置において、前記同時操作が解消されたときの前記実アクセル開度に応じた値への前記駆動力の復帰を、当該車両の位置する路面の勾配に応じた前記駆動力の割増しをその開始時に行った後、同駆動力を徐々に増加させることで行うようにしている。
［００１８］
上記課題を解決するため、本発明に従う第１０の車両の制御装置は、アクセルとブレーキの同時操作時に、実アクセル開度に応じた値よりも駆動力を低減する車両の制御装置において、前記同時操作が解消されたときの前記実アクセル開度に応じた前記駆動力の復帰を、当該車両に作用する車両前後方向の加速度に応じた前記駆動力の割増しをその開始時に行った後、同駆動力を徐々に増加させることで行うようにしている。
［００１９］
上記課題を解決するため、本発明に従う第１１の車両の制御装置は、アクセルとブレーキの同時操作時に、実アクセル開度に応じた値よりも駆動力を低減する車両の制御装置において、前記同時操作が解消されたときの前記実アクセル開度に応じた値への前記駆動力の復帰速度を当該車両の位置する路面の勾配に応じて変更するようにしている。
［００２０］
上記課題を解決するため、本発明に従う第１２の車両の制御装置は、アクセルとブレーキの同時操作時に、実アクセル開度よりも駆動力を低減する車両の制御装置において、前記同時操作が解消されたときの前記実アクセル開度に応じた値への前記駆動力の復帰速度を当該車両に作用する車両前後方向の加速度に応じて変更するようにしている。
［００２１］
上記課題を解決するため、本発明に従う第１３の車両の制御装置は、アクセルとブレーキの同時操作時に、実アクセル開度に応じた値よりも駆動力を低減する車両の制御装置において、車速が既定値以下のときにのみ、前記同時操作時の前記駆動力の低減度合いを当該車両の位置する路面の勾配に応じて変更するようにしている。
［００２２］
［００２３］
上記課題を解決するため、本発明に従う第１４の車両の制御装置は、アク
【手続補正５】
【補正対象書類名】明細書
【補正対象項目名】０００５
【補正方法】変更
【補正の内容】
【０００５】
セルとブレーキの同時操作時に、実アクセル開度に応じた値よりも駆動力を低減する車両の制御装置において、車速が既定値以下のときにのみ、前記同時操作時の前記駆動力の低減度合いを当該車両に作用する車両前後方向の加速度に応じて変更するようにしている。
［００２４］
図面の簡単な説明
［００２５］
［図１］本発明の第１実施形態に係る車両の制御装置の構成を模式的に示す略図。
［図２］同実施形態に採用されるアクセル開度要求値演算ルーチンの処理手順を示すフローチャート。
［図３］同実施形態の制御態様の一例を示すタイムチャート。
［図４］本発明の第２実施形態に係る車両の制御装置に採用される坂路補正量演算マップにおける車速、車両前後方向の加速度と坂路補正量との対応関係を示すグラフ。
［図５］本発明の第３実施形態に係る車両の制御装置に採用されるアクセル開度要求値演算ルーチンの処理手順を示すフローチャート。
［図６］同実施形態の制御態様の一例を示すタイムチャート。
［図７］本発明の第４実施形態に係る車両の制御装置に採用されるアクセル開度要求値演算ルーチンの処理手順を示すフローチャート。
［図８］同実施形態の制御態様の一例を示すタイムチャート。
発明を実施するための形態
［００２６］
（第１実施形態）
以下、本発明の車両の制御装置を具体化した第１実施形態を、図１〜図３を参照して詳細に説明する。
［００２７］
図１に示すように、本実施形態の制御装置を採用する車両には、ブレーキ・オーバーライド・システム（ＢＯＳ）１が制御機構として搭載されている。ＢＯＳ１には、アクセルポジションセンサーにより検出される実アクセル開度、ブレーキ踏力センサーにより検出されるブレーキ踏力、車速センサーにより検出される車速、及び加速度センサーにより検出される車両前後方向
【手続補正書】
【提出日】平成25年12月18日(2013.12.18)
【手続補正１】
【補正対象書類名】特許請求の範囲
【補正対象項目名】請求項４
【補正方法】変更
【補正の内容】
【請求項４】
アクセルとブレーキの同時操作時に、駆動力の制御に使用されるアクセル開度要求値を実アクセル開度よりも小さくする車両の制御装置において、
前記同時操作が解消されたときの前記実アクセル開度への前記アクセル開度要求値の復帰速度を当該車両の位置する路面の勾配に応じて変更する
ことを特徴とする車両の制御装置。
【国際調査報告】
2013005274.tif 000011
2013005274.tif 000012
2013005274.tif 000013
2013005274.tif 000014
2013005274.tif 000015
2013005274.tif 000016
2013005274.tif 000017